(57)【要約】  本発明は、複数のキャリアの間でアップリンク信号を伝送するための方法、ユーザ機器、基地局およびシステムを開示し、これにより、チャネルレシプロシティを効果的に利用できる。本発明の実施形態における方法は、基地局により送信されたインジケーションシグナリングを受信する段階と、インジケーションシグナリングに基づき、対応するターゲットキャリアのターゲットサブフレームにおいてアップリンク信号を伝送する段階とを備える。
2019510433.tif 000002
【特許請求の範囲】
【請求項１】
基地局により送信されたインジケーションシグナリングを受信する段階と、
前記インジケーションシグナリングに基づき、対応するターゲットキャリアのターゲットサブフレームにおいてアップリンク信号を伝送する段階と
を備える
複数のキャリアの間でアップリンク信号を伝送するための方法。
【請求項２】
前記インジケーションシグナリングは、キャリア変換および／またはサブフレーム変換を示すシグナリングである、請求項１に記載の方法。
【請求項３】
前記インジケーションシグナリングは、キャリアインジケーション情報および／またはサブフレームインジケーション情報を含む、請求項１または２に記載の方法。
【請求項４】
前記インジケーションシグナリングは、前記アップリンク信号により占有される帯域幅、伝送モード、伝送ポート、巡回シフト、タイミングアドバンス、および電力制御パラメータのうち少なくとも１つをさらに含む、請求項３に記載の方法。
【請求項５】
前記キャリアインジケーション情報は、変換前キャリアインデックスおよび／または変換後キャリアインデックスを含み、前記サブフレームインジケーション情報は、変換前サブフレーム番号および／または変換後サブフレーム番号を含む、請求項３に記載の方法。
【請求項６】
前記ターゲットキャリアは、変換後キャリアであり、前記ターゲットサブフレームは、変換後サブフレームである、請求項１から３の何れか一項に記載の方法。
【請求項７】
前記アップリンク信号は、サウンディング参照信号ＳＲＳ、プリアンブル、および符号分割多元接続ＣＤＭＡ信号のうち少なくとも１つを含む、請求項１から６の何れか一項に記載の方法。
【請求項８】
前記ＳＲＳは、複数の予め設定されたＳＲＳシーケンスの組み合わせであり、および／または前記ＳＲＳの伝送モードは、複数の予め設定されたＳＲＳモードの組み合わせである、請求項７に記載の方法。
【請求項９】
前記ターゲットサブフレームは、ダウンリンク制御情報および／またはダウンリンクデータ情報および／または前記アップリンク信号を伝送するために用いられ、および／または前記ターゲットサブフレームは、アップリンク制御情報および／またはアップリンクデータ情報および／または前記アップリンク信号を伝送するために用いられ、および／または前記ターゲットサブフレームは、ダウンリンク制御情報および／またはダウンリンクデータ情報および／またはアップリンク制御情報を伝送するために用いられ、前記アップリンク信号は、前記アップリンク制御情報を含む、請求項１から８の何れか一項に記載の方法。
【請求項１０】
前記ターゲットサブフレームが前記アップリンク信号および／または前記アップリンク制御情報を伝送するために用いられる場合、前記方法は、
前記アップリンク信号および／または前記アップリンク制御情報の時間領域位置および／または周波数領域位置および／または占有されるシンボル長を設定する段階をさらに備える、請求項１から９の何れか一項に記載の方法。
【請求項１１】
前記アップリンク制御情報は、アップリンクチャネル検出、チャネル状態情報ＣＳＩフィードバック、およびハイブリッド自動再送要求ＨＡＲＱフィードバックのうち少なくとも１つのために用いられる、請求項９または１０に記載の方法。
【請求項１２】
前記ターゲットサブフレームがダウンリンク伝送およびアップリンク伝送を含む場合、前記ダウンリンク伝送および前記アップリンク伝送の間にガード間隔が存在し、前記ガード間隔の長さが設定可能である、請求項１から１１の何れか一項に記載の方法。
【請求項１３】
前記インジケーションシグナリングは、セルフキャリアシグナリングまたはクロスキャリアシグナリングを用いることにより、通知される、請求項１から１２の何れか一項に記載の方法。
【請求項１４】
前記インジケーションシグナリングは、動的に設定されるか、または半静的に設定される、上位層請求項１から１３の何れか一項に記載の方法。
【請求項１５】
前記インジケーションシグナリングが動的に設定されるか、または半静的に設定されることは具体的に、ブロードキャストシグナリング、上位層無線リソース制御ＲＲＣシグナリング、および物理層シグナリングのうち少なくとも１つを用いることにより、前記インジケーションシグナリングに対して動的設定を行うか、または半静的設定を行うことである、請求項１４に記載の方法。
【請求項１６】
前記半静的設定を行うことは、キャリアモードおよび／またはサブフレームモードが半静的に設定されることを含む、請求項１４または１５に記載の方法。
【請求項１７】
前記キャリアモードおよび／または前記サブフレームモードは、キャリア間および／またはサブフレーム間でジャンプする場合に予め設定されたシーケンス設計に従う、請求項１６に記載の方法。
【請求項１８】
前記半静的設定を行うことは、設定可能な適用可能期間を有する、請求項１４から１７の何れか一項に記載の方法。
【請求項１９】
前記半静的設定を行うことは、動的にアクティブ化されるか、または非アクティブ化される、請求項１４から１８の何れか一項に記載の方法。
【請求項２０】
前記キャリアモードおよび／または前記サブフレームモードは、周期的モード、または非周期的モードであり、前記キャリアモードおよび／または前記サブフレームモードのキャリアおよび／またはサブフレームは、均一モードまたは非均一モードにある、請求項１６から１９の何れか一項に記載の方法。
【請求項２１】
前記サブフレームモードが前記周期的モードである場合、前記サブフレームモードの前記サブフレームは、異なるキャリア上で同じ期間または異なる期間を有する、請求項２０に記載の方法。
【請求項２２】
前記キャリアモードおよび／または前記サブフレームモードは、基地局間のインターフェースシグナリングにより決定され、前記キャリアモードおよび／または前記サブフレームモードは、前記基地局間で移行される、請求項１６から２１の何れか一項に記載の方法。
【請求項２３】
インジケーションシグナリングを設定する段階と、
ユーザ機器が前記インジケーションシグナリングに基づき、対応するターゲットキャリアのターゲットサブフレームにおいてアップリンク信号を伝送するよう、前記インジケーションシグナリングを前記ユーザ機器へ送信する段階と
を備える
複数のキャリアの間でアップリンク信号を伝送するための方法。
【請求項２４】
前記インジケーションシグナリングは、キャリア変換および／またはサブフレーム変換を示すシグナリングである、請求項２３に記載の方法。
【請求項２５】
前記インジケーションシグナリングは、キャリアインジケーション情報および／またはサブフレームインジケーション情報を含む、請求項２３または２４に記載の方法。
【請求項２６】
前記インジケーションシグナリングは、前記アップリンク信号により占有される帯域幅、伝送モード、伝送ポート、巡回シフト、タイミングアドバンス、および電力制御パラメータのうち少なくとも１つをさらに含む、請求項２５に記載の方法。
【請求項２７】
前記キャリアインジケーション情報は、変換前キャリアインデックスおよび／または変換後キャリアインデックスを含み、前記サブフレームインジケーション情報は、変換前サブフレーム番号および／または変換後サブフレーム番号を含む、請求項２５に記載の方法。
【請求項２８】
前記インジケーションシグナリングをユーザ機器へ送信する前記段階は、セルフキャリアシグナリングまたはクロスキャリアシグナリングを用いることにより、前記インジケーションシグナリングを送信する段階を含む、請求項２３から２７に記載の方法。
【請求項２９】
インジケーションシグナリングを設定する前記段階は、前記インジケーションシグナリングを動的に設定するか、または半静的に設定する段階を含む、請求項２３から２８の何れか一項に記載の方法。
【請求項３０】
前記インジケーションシグナリングを動的に設定するか、または半静的に設定する前記段階は、ブロードキャストシグナリング、上位層無線リソース制御ＲＲＣシグナリング、および物理層シグナリングのうち少なくとも１つを用いることにより、前記インジケーションシグナリングに対して動的設定を行うか、または半静的設定を行う段階を含む、請求項２９に記載の方法。
【請求項３１】
前記インジケーションシグナリングが半静的に設定される場合、前記半静的設定を行うことは、キャリアモードおよび／またはサブフレームモードが半静的に設定されることを含む、請求項２９または２０に記載の方法。
【請求項３２】
前記キャリアモードおよび／または前記サブフレームモードは、キャリア間および／またはサブフレーム間でジャンプする場合に予め設定されたシーケンス設計に従う、請求項３１に記載の方法。
【請求項３３】
前記半静的設定を行うことは、設定可能な適用可能期間を有する、請求項２９から３２の何れか一項に記載の方法。
【請求項３４】
前記半静的設定を行うことは、動的にアクティブ化されるか、または非アクティブ化される、請求項２９から３３の何れか一項に記載の方法。
【請求項３５】
前記キャリアモードおよび／または前記サブフレームモードは周期的モードまたは非周期的モードであり、前記キャリアモードおよび／または前記サブフレームモードのキャリアおよび／またはサブフレームは、均一モードまたは非均一モードにある、請求項３１から３４の何れか一項に記載の方法。
【請求項３６】
前記サブフレームモードが前記周期的モードである場合、前記サブフレームモードの前記サブフレームは、異なるキャリア上で同じ期間または異なる期間を有する、請求項３５に記載の方法。
【請求項３７】
基地局により送信されたインジケーションシグナリングを受信するよう構成される受信モジュールと、
前記インジケーションシグナリングに基づき、対応するターゲットキャリアのターゲットサブフレームにおいてアップリンク信号を伝送するよう構成される伝送モジュールと
を備える
ユーザ機器ＵＥ。
【請求項３８】
前記インジケーションシグナリングは、キャリア変換および／またはサブフレーム変換を示すシグナリングである、請求項３７に記載のＵＥ。
【請求項３９】
前記インジケーションシグナリングは、キャリアインジケーション情報および／またはサブフレームインジケーション情報を含む、請求項３７または３８に記載のＵＥ。
【請求項４０】
前記インジケーションシグナリングは、前記アップリンク信号により占有される帯域幅、伝送モード、伝送ポート、巡回シフト、タイミングアドバンス、および電力制御パラメータのうち少なくとも１つをさらに含む、請求項３９に記載のＵＥ。
【請求項４１】
前記キャリアインジケーション情報は、変換前キャリアインデックスおよび／または変換後キャリアインデックスを含み、前記サブフレームインジケーション情報は、変換前サブフレーム番号および／または変換後サブフレーム番号を含む、請求項３９に記載のＵＥ。
【請求項４２】
前記ターゲットキャリアは、変換後キャリアであり、前記ターゲットサブフレームは変換後サブフレームである、請求項３７から３９の何れか一項に記載のＵＥ。
【請求項４３】
前記アップリンク信号は、サウンディング参照信号ＳＲＳ、プリアンブル、および符号分割多元接続ＣＤＭＡ信号のうち少なくとも１つを含む、請求項３７から４２の何れか一項に記載のＵＥ。
【請求項４４】
前記ＳＲＳは、複数の予め設定されたＳＲＳシーケンスの組み合わせであり、および／または前記ＳＲＳの伝送モードは、複数の予め設定されたＳＲＳモードの組み合わせである、請求項４３に記載のＵＥ。
【請求項４５】
前記伝送モジュールは具体的に、
前記インジケーションシグナリングに基づき、前記対応するターゲットキャリアの前記ターゲットサブフレームにおいて、ダウンリンク制御情報および／またはダウンリンクデータ情報および／または前記アップリンク信号を伝送し、および／またはアップリンク制御情報および／またはアップリンクデータ情報および／または前記アップリンク信号を伝送し、および／またはダウンリンク制御情報および／またはダウンリンクデータ情報および／またはアップリンク制御情報を伝送するよう構成され、前記アップリンク信号は、前記アップリンク制御情報を含む、請求項３７から４４の何れか一項に記載のＵＥ。
【請求項４６】
前記伝送モジュールが前記アップリンク信号および／または前記アップリンク制御情報を伝送する場合、前記ＵＥは、
前記アップリンク信号および／または前記アップリンク制御情報の時間領域位置または周波数領域位置および／または占有されるシンボル長を設定するよう構成される設定モジュールをさらに備える、請求項３７から４５の何れか一項に記載のＵＥ。
【請求項４７】
前記ターゲットサブフレームがダウンリンク伝送およびアップリンク伝送を含む場合、前記ダウンリンク伝送と前記アップリンク伝送との間にガード間隔が存在し、前記ガード間隔の長さが設定可能である、請求項３７から４６の何れか一項に記載のＵＥ。
【請求項４８】
前記インジケーションシグナリングは、セルフキャリアシグナリングまたはクロスキャリアシグナリングを用いることにより、通知される、請求項３７から４７の何れか一項に記載のＵＥ。
【請求項４９】
前記インジケーションシグナリングは動的に設定されるか、または半静的に設定される、請求項３７から４８の何れか一項に記載のＵＥ。
【請求項５０】
前記インジケーションシグナリングが動的に設定されるか、または半静的に設定されることは具体的に、ブロードキャストシグナリング、上位層無線リソース制御ＲＲＣシグナリング、および物理層シグナリングのうち少なくとも１つを用いることにより、前記インジケーションシグナリングに対して動的に設定を行うか、または半静的設定を行うことである、請求項４９に記載のＵＥ。
【請求項５１】
前記半静的設定を行うことは、キャリアモードおよび／またはサブフレームモードが半静的に設定されることを含む、請求項４９または５０に記載のＵＥ。
【請求項５２】
前記キャリアモードおよび／または前記サブフレームモードは、キャリア間および／またはサブフレーム間でジャンプする場合に予め設定されたシーケンス設計に従う、請求項５１に記載のＵＥ。
【請求項５３】
前記半静的設定を行うことは、設定可能な適用可能期間を有する、請求項４９から５２の何れか一項に記載のＵＥ。
【請求項５４】
前記半静的設定を行うことは、動的にアクティブ化されるか、または非アクティブ化される、請求項４９から５３の何れか一項に記載のＵＥ。
【請求項５５】
前記キャリアモードおよび／または前記サブフレームモードは、周期的モード、または非周期的モードであり、前記キャリアモードおよび／または前記サブフレームモードのキャリアおよび／またはサブフレームは、均一モードまたは非均一モードにある、請求項５１から５４の何れか一項に記載のＵＥ。
【請求項５６】
前記サブフレームモードが前記周期的モードである場合、前記サブフレームモードの前記サブフレームは、異なるキャリア上で同じ期間または異なる期間を有する、請求項５５に記載のＵＥ。
【請求項５７】
前記キャリアモードおよび／または前記サブフレームモードは、基地局間のインターフェースシグナリングにより決定され、前記キャリアモードおよび／または前記サブフレームモードは、前記基地局間で移行される、請求項５１から５６の何れか一項に記載のＵＥ。
【請求項５８】
インジケーションシグナリングを設定するよう構成される設定モジュールと、
ユーザ機器が前記インジケーションシグナリングに基づき、対応するターゲットキャリアのターゲットサブフレームにおいてアップリンク信号を伝送するよう、前記インジケーションシグナリングを前記ユーザ機器へ送信するよう構成される送信モジュールと
を備える
基地局。
【請求項５９】
前記インジケーションシグナリングは、キャリア変換および／またはサブフレーム変換を示すシグナリングである、請求項５８に記載の基地局。
【請求項６０】
前記インジケーションシグナリングは、キャリアインジケーション情報および／またはサブフレームインジケーション情報を含む、請求項５８または５９に記載の基地局。
【請求項６１】
前記インジケーションシグナリングは、前記アップリンク信号により占有される帯域幅、伝送モード、伝送ポート、巡回シフト、タイミングアドバンス、および電力制御パラメータのうち少なくとも１つをさらに含む、請求項６０に記載の基地局。
【請求項６２】
前記キャリアインジケーション情報は、変換前キャリアインデックスおよび／または変換後キャリアインデックスを含み、前記サブフレームインジケーション情報は、変換前サブフレーム番号および／または変換後サブフレーム番号を含む、請求項６０に記載の基地局。
【請求項６３】
前記送信モジュールは具体的に、セルフキャリアシグナリングまたはクロスキャリアシグナリングを用いることにより、前記インジケーションシグナリングを送信するよう構成される、請求項５８から６２の何れか一項に記載の基地局。
【請求項６４】
前記設定モジュールは具体的に、前記インジケーションシグナリングを動的に設定するか、または半静的に設定するよう構成される、請求項５８から６３の何れか一項に記載の基地局。
【請求項６５】
前記設定モジュールは具体的に、ブロードキャストシグナリング、上位層無線リソース制御ＲＲＣシグナリング、および物理層シグナリングのうち少なくとも１つを用いることにより、前記インジケーションシグナリングを動的に設定するか、または半静的に設定するよう構成される、請求項６４に記載の基地局。
【請求項６６】
前記インジケーションシグナリングが半静的に設定される場合、前記半静的に設定することは、キャリアモードおよび／またはサブフレームモードが半静的に設定されることを含む、請求項６４または６５に記載の基地局。
【請求項６７】
前記キャリアモードおよび／または前記サブフレームモードは、キャリア間および／またはサブフレーム間でジャンプする場合に予め設定されたシーケンス設計に従う、請求項６６に記載の基地局。
【請求項６８】
前記半静的に設定することは、設定可能な適用可能期間を有する、請求項６４から６７の何れか一項に記載の基地局。
【請求項６９】
前記半静的に設定することは、動的にアクティブ化されるか、または非アクティブ化される、請求項６４から６８の何れか一項に記載の基地局。
【請求項７０】
前記キャリアモードおよび／または前記サブフレームモードは周期的モード、または非周期的モードであり、前記キャリアモードおよび／または前記サブフレームモードのキャリアおよび／またはサブフレームは、均一モードまたは非均一モードにある、請求項６６から６９の何れか一項に記載の基地局。
【請求項７１】
前記サブフレームモードが周期的モードである場合、前記サブフレームモードの前記サブフレームは、異なるキャリア上で同じ期間または異なる期間を有する、請求項７０に記載の基地局。
【請求項７２】
請求項３６から５６の何れか一項に記載のユーザ機器ＵＥおよび請求項５７から７０の何れか一項に記載の基地局を含む複数のキャリアの間でアップリンク信号を伝送するためのシステム。
【発明の詳細な説明】
【技術分野】
【０００１】
本発明は、通信技術分野に関し、特に、複数のキャリアの間でアップリンク信号を伝送するための方法、ユーザ機器、基地局およびシステムに関する。
【背景技術】
【０００２】
ロングタームエボリューション（英文全表記：Ｌｏｎｇ  Ｔｅｒｍ  Ｅｖｏｌｕｔｉｏｎ、略してＬＴＥ）システムにおいて、チャネル推定が必要である。チャネル推定とは、データを受信する場合に仮定されたチャネルモデルのモデルパラメータを推定する処理である。
【０００３】
現在、アップリンク伝送およびダウンリンク伝送の両方をサポートするキャリアに対して、サウンディング参照情報（英文全表記：Ｓｏｕｎｄｉｎｇ  Ｒｅｆｅｒｅｎｃｅ  Ｓｉｇｎａｌ、略してＳＲＳ）およびチャネルレシプロシティを用いることによりチャネル推定を実行することは有益である。
【０００４】
しかしながら、ユーザ機器（英文全表記：Ｕｓｅｒ  Ｅｑｕｉｐｍｅｎｔ、略してＵＥ）は概して、アップリンクキャリアの数よりも多くの数のダウンリンクキャリアをアグリゲートすることができる。その結果、アップリンク伝送リソースが不足している場合、ダウンリンク伝送を行ういくつかのダウンリンクキャリアは、例えば、アップリンクＳＲＳ信号の伝送のようなアップリンク伝送のために用いられることができない。明らかに、これらのダウンリンクキャリアについて、チャネルレシプロシティを効果的に利用することができない。
【発明の概要】
【０００５】
本発明の実施形態は、複数のキャリアの間でアップリンク信号を伝送するための方法、ユーザ機器、基地局およびシステムを提供し、これにより、チャネルレシプロシティを効果的に利用することができる。
【０００６】
この点に鑑みて、本発明の第１の態様は、複数のキャリアの間でアップリンク信号を伝送するための方法を提供し、以下を含む。
【０００７】
複数のキャリアの間でアップリンク信号を伝送するための方法とは、周波数分割複信（英文全表記：Ｆｒｅｑｕｅｎｃｙ  Ｄｉｖｉｓｉｏｎ  Ｄｕｐｌｅｘ、略してＦＤＤ）または、時分割複信（英文全表記：Ｔｉｍｅ  Ｄｉｖｉｓｉｏｎ  Ｄｕｐｌｅｘ、略してＴＤＤ）キャリアのダウンリンクサブフレームが、特定のサブフレームフォーマットのサブフレームに変換されてよく、アップリンクチャネル検出またはチャネル状態情報報告のために用いられてよいことを意味する。変換後ダウンリンクサブフレームは、少なくとも１つのアップリンク信号を含む。代替的に、ＦＤＤまたはＴＤＤキャリアのアップリンクサブフレームが、少なくとも１つのアップリンク信号の伝送を含むサブフレームに変換される。代替的に、ＦＤＤまたはＴＤＤキャリアの特殊サブフレームが、少なくとも１つのアップリンク信号の伝送を含むサブフレームに変換される。従って、方法は、基地局により送信されたインジケーションシグナリングを受信する段階と、インジケーションシグナリングに基づき、対応するターゲットキャリアのターゲットサブフレームにおいてアップリンク信号を伝送する段階とを備える。
【０００８】
任意選択的に、アップリンク信号はアップリンク信号伝送要求を有するいくつかのＵＥに特有であってよい。
【０００９】
有益な効果は、アップリンク信号が受信されたインジケーションシグナリングに基づき、ターゲットキャリアのターゲットサブフレームにおいて伝送されることである。明らかに、ターゲットキャリアがダウンリンク伝送を実行する場合、ダウンリンク伝送のより多くの数のキャリアについて、インジケーションシグナリングは、キャリアのダウンリンクサブフレームまたはアップリンクサブフレームがアップリンク信号を伝送することを可能にするために用いられる。明らかに、本発明において、チャネルレシプロシティは、効果的に利用される。
【００１０】
本発明の第１の態様に関連して、本発明の第１の態様の第１の実装方式は、以下を含む。インジケーションシグナリングは、キャリア変換および／またはサブフレーム変換を示すシグナリングである。
【００１１】
本発明の第１の態様、または本発明の第１の態様の第１の実装方式に関連して、本発明の第１の態様の第２の実装方式は、以下を含む。インジケーションシグナリングは、キャリアインジケーション情報および／またはサブフレームインジケーション情報を含む。
【００１２】
本発明の第１の態様の第２の実装方式に関連して、本発明の第１の態様の第３の実装方式は、以下を含む。インジケーションシグナリングは、アップリンク信号により占有される帯域幅、伝送モード、伝送ポート、巡回シフト、タイミングアドバンス、および電力制御パラメータのうち少なくとも１つをさらに含む。
【００１３】
任意選択的に、インジケーションシグナリングは、特定の巡回冗長符号ＣＲＣを用いることによりスクランブルされる。
【００１４】
本発明の第１の態様の第２の実装方式に関連し、本発明の第１の態様の第４の実装方式は、以下を含む。キャリアインジケーション情報は、変換前キャリアインデックスおよび／または変換後キャリアインデックスを含み、サブフレームインジケーション情報は、変換前サブフレーム番号および／または変換後サブフレーム番号を含む。
【００１５】
本発明の第１の態様、本発明の第１の態様の第１の実装方式、または本発明の第１の態様の第２の実装方式に関連して、本発明の第１の態様の第５の実装方式は、以下を含む。ターゲットキャリアは、変換後キャリアであり、ターゲットサブフレームは、変換後サブフレームである。
【００１６】
本発明の第１の態様、本発明の第１の態様の第１の実装方式、本発明の第１の態様の第２の実装方式、本発明の第１の態様の第３の実装方式、本発明の第１の態様の第４の実装方式、または本発明の第１の態様の第５の実装方式に関連して、本発明の第１の態様の第６の実装方式は、以下を含む。アップリンク信号は、サウンディング参照信号ＳＲＳ、プリアンブル、および符号分割多元接続ＣＤＭＡ信号のうち少なくとも１つを含む。
【００１７】
本発明の第１の態様の第６の実装方式に関連して、本発明の第１の態様の第７の実装方式は、以下を含む。ＳＲＳは、複数の予め設定されたＳＲＳシーケンスの組み合わせであり、および／またはＳＲＳの伝送モードは、複数の予め設定されたＳＲＳモードの組み合わせである。
【００１８】
本発明の第１の態様、本発明の第１の態様の第１の実装方式、本発明の第１の態様の第２の実装方式、本発明の第１の態様の第３の実装方式、本発明の第１の態様の第４の実装方式、本発明の第１の態様の第５の実装方式、本発明の第１の態様の第６の実装方式、または本発明の第１の態様の第７の実装方式に関連して、本発明の第１の態様の第８の実装方式は、以下を含む。ターゲットサブフレームは、ダウンリンク制御情報および／またはダウンリンクデータ情報および／またはアップリンク信号を伝送するために用いられ、および／またはターゲットサブフレームは、アップリンク制御情報および／またはアップリンクデータ情報および／またはアップリンク信号を伝送するために用いられ、および／またはターゲットサブフレームは、ダウンリンク制御情報および／またはダウンリンクデータ情報および／またはアップリンク制御情報を伝送するために用いられることを含み、ここで、アップリンク信号は、アップリンク制御情報を含む。
【００１９】
本発明の第１の態様、本発明の第１の態様の第１の実装方式、本発明の第１の態様の第２の実装方式、本発明の第１の態様の第３の実装方式、本発明の第１の態様の第４の実装方式、本発明の第１の態様の第５の実装方式、本発明の第１の態様の第６の実装方式、本発明の第１の態様の第７の実装方式、または本発明の第１の態様の第８の実装方式に関連して、本発明の第１の態様の第９の実装方式は、以下を含む。ターゲットサブフレームがアップリンク信号および／またはアップリンク制御情報を伝送するために用いられる場合、方法は、アップリンク信号および／またはアップリンク制御情報の時間領域位置および／または周波数領域位置および／または占有されるシンボル長を設定する段階をさらに備える。
【００２０】
本発明の第１の態様の第８の実装方式、または本発明の第１の態様の第９の実装方式に関連して、本発明の第１の態様の第１０の実装方式は、以下を含む。アップリンク制御情報は、アップリンクチャネル検出、チャネル状態情報ＣＳＩフィードバック、およびハイブリッド自動再送要求ＨＡＲＱフィードバックのうち少なくとも１つのために用いられる。
【００２１】
本発明の第１の態様、本発明の第１の態様の第１の実装方式、本発明の第１の態様の第２の実装方式、本発明の第１の態様の第３の実装方式、本発明の第１の態様の第４の実装方式、本発明の第１の態様の第５の実装方式、本発明の第１の態様の第６の実装方式、本発明の第１の態様の第７の実装方式、本発明の第１の態様の第８の実装方式、本発明の第１の態様の第９の実装方式、または、本発明の第１の態様の第１０の実装方式に関連して、本発明の第１の態様の第１１の実装方式は、以下を含む。ターゲットサブフレームがダウンリンク伝送およびアップリンク伝送を含む場合、ダウンリンク伝送とアップリンク伝送との間にガード間隔が存在し、ガード間隔の長さが設定可能である。
【００２２】
任意選択的に、ダウンリンク制御情報、ダウンリンクデータ情報、ガード間隔、およびアップリンク信号が順次に存在し、またはダウンリンク制御情報、ダウンリンクデータ情報、ガード間隔、およびアップリンク制御情報が順次に存在し、またはダウンリンク制御情報、ダウンリンクデータ情報、ガード間隔、アップリンク制御情報、およびアップリンク信号が順次に存在する。
【００２３】
任意選択的に、ダウンリンクからアップリンクへのガード間隔ＧＰ１の長さは設定されてよい。
【００２４】
任意選択的に、アップリンクからダウンリンクへのガード間隔ＧＰ２の長さは０であってよい。
【００２５】
本発明の第１の態様、本発明の第１の態様の第１の実装方式、本発明の第１の態様の第２の実装方式、本発明の第１の態様の第３の実装方式、本発明の第１の態様の第４の実装方式、本発明の第１の態様の第５の実装方式、本発明の第１の態様第６の実装方式、本発明の第１の態様の第７の実装方式、本発明の第１の態様の第８の実装方式、本発明の第１の態様の第９の実装方式、本発明の第１の態様の第１０の実装方式、または本発明の第１の態様の第１１の実装方式に関連して、本発明の第１の態様の第１２の実装方式は、以下を含む。インジケーションシグナリングは、セルフキャリアシグナリングまたはクロスキャリアシグナリングを用いることにより、通知される。
【００２６】
本発明の第１の態様、本発明の第１の態様の第１の実装方式、本発明の第１の態様の第２の実装方式、本発明の第１の態様の第３の実装方式、本発明の第１の態様の第４の実装方式、本発明の第１の態様の第５の実装方式、本発明の第１の態様の第６の実装方式、本発明の第１の態様の第７の実装方式、本発明の第１の態様の第８の実装方式、本発明の第１の態様の第９の実装方式、本発明の第１の態様の第１０の実装方式、本発明の第１の態様の第１１の実装方式、または本発明の第１の態様の第１２の実装方式に関連して、本発明の第１の態様の第１３の実装方式は、以下を含む。インジケーションシグナリングは、動的に設定されるか、または半静的に設定される。
【００２７】
本発明の第１の態様の第１３の実装方式に関連して、本発明の第１の態様の第１４の実装方式は、以下を含む。インジケーションシグナリングは、動的に設定されるか、または半静的に設定されることは具体的に、ブロードキャストシグナリング、上位層無線リソース制御ＲＲＣシグナリング、および物理層シグナリングのうち少なくとも１つを用いることにより、インジケーションシグナリングを動的に設定するか、または半静的に設定することである。
【００２８】
本発明の第１の態様の第１３の実装方式または本発明の第１の態様の第１４の実装方式に関連して、本発明の第１の態様の第１５の実装方式は、以下を含む。半静的設定は、キャリアモードおよび／またはサブフレームモードが半静的に設定されることを含む。
【００２９】
本発明の第１の態様の第１５の実装方式に関連して、本発明の第１の態様の第１６の実装方式は、以下を含む。キャリアモードおよび／またはサブフレームモードは、キャリア間および／またはサブフレーム間でジャンプする場合に予め設定されたシーケンス設計に従う。
【００３０】
本発明の第１の態様の第１３の実装方式、本発明の第１の態様の第１４の実装方式、本発明の第１の態様の第１５の実装方式、または本発明の第１の態様の第１６の実装方式に関連して、本発明の第１の態様の第１７の実装方式は、以下を含む。半静的設定は、設定可能な適用可能期間を有することを含む。
【００３１】
本発明の第１の態様の第１３の実装方式、本発明の第１の態様の第１４の実装方式、本発明の第１の態様の第１５の実装方式、本発明の第１の態様の第１６の実装方式、または本発明の第１の態様の第１７の実装方式に関連して、本発明の第１の態様の第１８の実装方式は、以下を含む。半静的設定は、動的にアクティブ化されるか、または非アクティブ化される。
【００３２】
本発明の第１の態様の第１５の実装方式、本発明の第１の態様の第１６の実装方式、本発明の第１の態様の第１７の実装方式、または本発明の第１の態様の第１８の実装方式に関連して、本発明の第１の態様の第１９の実装方式は、以下を含む。キャリアモードおよび／またはサブフレームモードは、周期的モードまたは非周期的モードであり、キャリアモードおよび／またはサブフレームモードのキャリアおよび／またはサブフレームは、均一モードまたは非均一モードにある。
【００３３】
本発明の第１の態様の第１９の実装方式に関連して、本発明の第１の態様の第２０の実装方式は、以下を含む。サブフレームモードが周期的モードである場合、サブフレームモードのサブフレームは、異なるキャリア上で同じ期間または異なる期間を有する。
【００３４】
本発明の第１の態様の第１５の実装方式、本発明の第１の態様の第１６の実装方式、本発明の第１の態様の第１７の実装方式、本発明の第１の態様の第１８の実装方式、本発明の第１の態様の第１９の実装方式、または本発明の第１の態様の第２０の実装方式に関連して、本発明の第１の態様の第２１の実装方式は、以下を含む。キャリアモードおよび／またはサブフレームモードは、基地局間のインターフェースシグナリングにより決定され、キャリアモードおよび／またはサブフレームモードは、基地局間で移行される。
【００３５】
本発明の第２の態様は、複数のキャリアの間でアップリンク信号を伝送するための方法を提供し、当該方法は、インジケーションシグナリングを設定する段階と、ユーザ機器がインジケーションシグナリングに基づき、対応するターゲットキャリアのターゲットサブフレームにおいてアップリンク信号を伝送するよう、インジケーションシグナリングをユーザ機器へ送信する段階とを備える。
【００３６】
本発明の第２の態様に関連して、本発明の第２の態様の第１の実装方式は、以下を含む。インジケーションシグナリングは、キャリア変換および／またはサブフレーム変換を示すシグナリングである。
【００３７】
本発明の第２の態様、または本発明の第２の態様の第１の実装方式に関連して、本発明の第２の態様の第２の実装方式は、以下を含む。インジケーションシグナリングは、キャリアインジケーション情報および／またはサブフレームインジケーション情報を含む。
【００３８】
本発明の第２の態様の第２の実装方式に関連して、本発明の第２の態様の第３の実装方式は、以下を含む。インジケーションシグナリングは、アップリンク信号により占有される帯域幅、伝送モード、伝送ポート、巡回シフト、タイミングアドバンス＜および電力制御パラメータのうち少なくとも１つをさらに含む。
【００３９】
本発明の第２の態様の第２の実装方式に関連して、本発明の第２の態様の第４の実装方式は、以下を含む。キャリアインジケーション情報は、変換前キャリアインデックスおよび／または変換後キャリアインデックスを含み、サブフレームインジケーション情報は、変換前サブフレーム番号および／または変換後サブフレーム番号を含む。
【００４０】
本発明の第２の態様、本発明の第２の態様の第１の実装方式、本発明の第２の態様の第２の実装方式、本発明の第２の態様の第３の実装方式、または本発明の第２の態様の第４の実装方式に関連して、本発明の第２の態様の第５の実装方式は、以下を含む。インジケーションシグナリングをユーザ機器へ送信する段階は、セルフキャリアシグナリングまたはクロスキャリアシグナリングを用いることにより、インジケーションシグナリングを送信する段階を含む。
【００４１】
本発明の第２の態様、本発明の第２の態様第１の実装方式、本発明の第２の態様の第２の実装方式、本発明の第２の態様の第３の実装方式、本発明の第２の態様の第４の実装方式、または本発明の第２の態様の第５の実装方式に関連して、本発明の第２の態様の第６の実装方式は、以下を含む。インジケーションシグナリングを設定する段階は、インジケーションシグナリングを動的に設定するか、または半静的に設定する段階を含む。
【００４２】
本発明の第２の態様の第６の実装方式に関連して、本発明の第２の態様の第７の実装方式は、以下を含む。インジケーションシグナリングを動的に設定するか、または半静的に設定する段階は、ブロードキャストシグナリング、上位層無線リソース制御ＲＲＣシグナリング、および物理層シグナリングのうち少なくとも１つを用いることにより、インジケーションシグナリングを動的に設定するか、または半静的に設定する段階を含む。
【００４３】
本発明の第２の態様の第５の実装方式、または本発明の第２の態様の第６の実装方式に関連して、本発明の第２の態様の第８の実装方式は、以下を含む。インジケーションシグナリングが半静的に設定される場合、半静的設定は、キャリアモードおよび／またはサブフレームモードが半静的に設定されることを含む。
【００４４】
本発明の第２の態様の第８の実装方式に関連して、本発明の第２の態様の第９の実装方式は、以下を含む。キャリアモードおよび／またはサブフレームモードは、キャリア間および／またはサブフレーム間でジャンプする場合に予め設定されたシーケンス設計に従う。
【００４５】
本発明の第２の態様の第６の実装方式、本発明の第２の態様の第７の実装方式、本発明の第２の態様の第８の実装方式、または本発明の第２の態様の第９の実装方式に関連して、本発明の第２の態様の第１０の実装方式は、以下を含む。半静的設定は、設定可能な適用可能期間を有する。
【００４６】
本発明の第２の態様の第６の実装方式、本発明の第２の態様の第７の実装方式、本発明の第２の態様の第８の実装方式、本発明の第２の態様の第９の実装方式、または本発明の第２の態様の第１０の実装方式に関連して、本発明の第２の態様の第１１の実装方式は、以下を含む。半静的設定は、動的にアクティブ化されるか、または非アクティブ化される。
【００４７】
本発明の第２の態様の第８の実装方式、本発明の第２の態様の第９の実装方式、本発明の第２の態様の第１０の実装方式、または本発明の第２の態様の第１１の実装方式に関連して、本発明の第２の態様の第１２の実装方式は、以下を含む。キャリアモードおよび／またはサブフレームモードは、周期的モードまたは非周期的モードであり、キャリアモードおよび／またはサブフレームモードのキャリアおよび／またはサブフレームは、均一モードまたは非均一モードにある。
【００４８】
本発明の第２の態様の第１２の実装方式に関連して、本発明の第２の態様の第１３の実装方式は、以下を含む。サブフレームモードが周期的モードである場合、サブフレームモードのサブフレームは、異なるキャリア上で同じ期間または異なる期間を有する。
【００４９】
本発明の第３の態様は、ユーザ機器ＵＥを提供し、当該ユーザ機器は、基地局により送信されたインジケーションシグナリングを受信するよう構成される受信モジュールと、インジケーションシグナリングに基づき、対応するターゲットキャリアのターゲットサブフレームにおいてアップリンク信号を伝送するよう構成される伝送モジュールとを備える。
【００５０】
有益な効果は、アップリンク信号が取得されたインジケーションシグナリングに基づきターゲットキャリアのターゲットサブフレームにおいて伝送されることである。明らかに、ターゲットキャリアがダウンリンク伝送を実行する場合、ダウンリンク伝送におけるより多くの数のキャリアに対して、インジケーションシグナリングは、キャリアのダウンリンクサブフレームまたはアップリンクサブフレームがアップリンク信号を伝送することを可能にするために用いられる。明らかに、本発明において、チャネルレシプロシティは、効果的に利用される。
【００５１】
本発明の第３の態様に関連して、本発明の第３の態様の第１の実装方式は、以下を含む。インジケーションシグナリングは、キャリア変換および／またはサブフレーム変換を示すシグナリングである。
【００５２】
本発明の第３の態様または本発明の第３の態様の第１の実装方式に関連して、本発明の第３の態様の第２の実装方式は、以下を含む。インジケーションシグナリングは、キャリアインジケーション情報および／またはサブフレームインジケーション情報を含む。
【００５３】
本発明の第３の態様の第２の実装方式に関連して、本発明の第３の態様の第３の実装方式は、以下を含む。インジケーションシグナリングは、アップリンク信号により占有される帯域幅、伝送モード、伝送ポート、巡回シフト、タイミングアドバンス、および電力制御パラメータのうち少なくとも１つをさらに含む。
【００５４】
任意選択的に、インジケーションシグナリングは、特定の巡回冗長符号ＣＲＣを用いることにより、スクランブルされる。
【００５５】
本発明の第３の態様の第２の実装方式に関連して、本発明の第３の態様の第４の実装方式は、以下を含む。キャリアインジケーション情報は、変換前キャリアインデックスおよび／または変換後キャリアインデックスを含み、サブフレームインジケーション情報は、変換前サブフレーム番号および／または変換後サブフレーム番号を含む。
【００５６】
本発明の第３の態様、本発明の第３の態様の第１の実装方式、または本発明の第３の態様の第２の実装方式に関連して、本発明の第３の態様の第５の実装方式は、以下を含む。ターゲットキャリアは、変換後キャリアであり、ターゲットサブフレームは、変換後サブフレームである。
【００５７】
本発明の第３の態様、本発明の第３の態様の第１の実装方式、本発明の第３の態様の第２の実装方式、本発明の第３の態様の第３の実装方式、本発明の第３の態様の第４の実装方式、または本発明の第３の態様の第５の実装方式に関連して、本発明の第３の態様の第６の実装方式は、以下を含む。アップリンク信号は、サウンディング参照信号ＳＲＳ、プリアンブル、および符号分割多元接続ＣＤＭＡ信号のうち少なくとも１つを含む。
【００５８】
本発明の第３の態様の第６の実装方式に関連して、本発明の第３の態様の第７の実装方式は、以下を含む。ＳＲＳは、複数予め設定されたＳＲＳシーケンスの組み合わせであり、および／またはＳＲＳの伝送モードは、複数の予め設定されたＳＲＳモードの組み合わせである。
【００５９】
本発明の第３の態様、本発明の第３の態様の第１の実装方式、本発明の第３の態様の第２の実装方式、本発明の第３の態様の第３の実装方式、本発明の第３の態様の第４の実装方式、本発明の第３の態様の第５の実装方式、本発明の第３の態様第６の実装方式、または本発明の第３の態様第７の実装方式に関連して、本発明の第３の態様の第８の実装方式は、以下を含む。伝送モジュールは具体的に、インジケーションシグナリングに基づき、対応するターゲットキャリアのターゲットサブフレームにおいて、ダウンリンク制御情報および／またはダウンリンクデータ情報および／またはアップリンク信号を伝送する、および／またはアップリンク制御情報および／またはアップリンクデータ情報および／またはアップリンク信号を伝送する、および／またはダウンリンク制御情報および／またはダウンリンクデータ情報および／またはアップリンク制御情報を伝送するよう構成され、ここで、アップリンク信号は、アップリンク制御情報を含む。
【００６０】
本発明の第３の態様、本発明の第３の態様の第１の実装方式、本発明の第３の態様の第２の実装方式、本発明の第３の態様の第３の実装方式、本発明の第３の態様の第４の実装方式、本発明の第３の態様の第５の実装方式、本発明の第３の態様の第６の実装方式、本発明の第３の態様の第７の実装方式、または本発明の第３の態様の第８の実装方式に関連して、本発明の第３の態様の第９の実装方式は、以下を含む。伝送モジュールがアップリンク信号および／またはアップリンク制御情報を伝送する場合、ＵＥは、アップリンク信号および／またはアップリンク制御情報の時間領域位置または周波数領域位置および／または占有されるシンボル長を設定するよう構成される設定モジュールをさらに備える。
【００６１】
本発明の第３の態様の第８の実装方式、または本発明の第３の態様の第９の実装方式に関連して、本発明の第３の態様の第１０の実装方式は、以下を含む。アップリンク制御情報は、アップリンクチャネル検出、チャネル状態情報ＣＳＩフィードバック、およびハイブリッド自動再送要求ＨＡＲＱフィードバックのうち少なくとも１つのために用いられる。
【００６２】
本発明の第３の態様、本発明の第３の態様の第１の実装方式、本発明の第３の態様の第２の実装方式、本発明の第３の態様の第３の実装方式、本発明の第３の態様の第４の実装方式、本発明の第３の態様の第５の実装方式、本発明の第３の態様の第６の実装方式、本発明の第３の態様の第７の実装方式、本発明の第３の態様の第８の実装方式、本発明の第３の態様の第９の実装方式、または本発明の第３の態様の第１０の実装方式に関連して、本発明の第３の態様の第１１の実装方式は、以下を含む。ターゲットサブフレームがダウンリンク伝送およびアップリンク伝送を含む場合、ダウンリンク伝送とアップリンク伝送との間にガード間隔が存在し、ガード間隔の長さは設定可能である。
【００６３】
本発明の第３の態様、本発明の第３の態様の第１の実装方式、本発明の第３の態様の第２の実装方式、本発明の第３の態様の第３の実装方式、本発明の第３の態様の第４の実装方式、本発明の第３の態様の第５の実装方式、本発明の第３の態様の第６の実装方式、本発明の第３の態様の第７の実装方式、本発明の第３の態様の第８の実装方式、本発明び第３の態様の第９の実装方式、本発明の第３の態様の第１０の実装方式、または本発明の第３の態様の第１１の実装方式に関連して、本発明の第３の態様の第１２の実装方式は、以下を含む。インジケーションシグナリングは、セルフキャリアシグナリングまたはクロスキャリアシグナリングを用いることにより、通知される。
【００６４】
本発明の第３の態様、本発明の第３の態様の第１の実装方式、本発明の第３の態様の第２の実装方式、本発明の第３の態様の第３の実装方式、本発明の第３の態様の第４の実装方式、本発明の第３の態様の第５の実装方式、本発明の第３の態様の第６の実装方式、本発明の第３の態様の第７の実装方式、本発明の第３の態様の第８の実装方式、本発明び第３の態様の第９の実装方式、本発明の第３の態様の第１０の実装方式、本発明の第３の態様の第１１の実装方式、または本発明の第３の態様の第１２の実装方式に関連して、本発明の第３の態様の第１３の実装方式は、以下を含む。インジケーションシグナリングは、動的に設定されるか、または半静的に設定される。
【００６５】
本発明の第３の態様の第１３の実装方式に関連して、本発明の第３の態様の第１４の実装方式は、以下を含む。インジケーションシグナリングが動的に設定されるか、または半静的に設定されることは具体的に、ブロードキャストシグナリング、上位層無線リソース制御ＲＲＣシグナリング、および物理層シグナリングのうち少なくとも１つを用いることにより、インジケーションシグナリングを動的に設定するか、または半静的に設定することを含む。
【００６６】
本発明の第３の態様の第１３の実装方式、または本発明の第３の態様の第１４の実装方式に関連して、本発明の第３の態様の第１５の実装方式は、以下を含む。半静的設定は、キャリアモードおよび／またはサブフレームモードが半静的に設定されることを含む。
【００６７】
本発明の第３の態様の第１５の実装方式に関連して、本発明の第３の態様の第１６の実装方式は、以下を含む。キャリアモードおよび／またはサブフレームモードは、キャリア間および／またはサブフレーム間でジャンプする場合に予め設定されたシーケンス設計に従う。
【００６８】
本発明の第３の態様の第１３の実装方式、本発明の第３の態様の第１４の実装方式、本発明の第３の態様の第１５の実装方式、または本発明の第３の態様の第１６の実装方式に関連して、本発明の第３の態様の第１７の実装方式は、以下を含む。半静的設定は、設定可能な適用可能期間を有する。
【００６９】
本発明の第３の態様の第１３の実装方式、本発明の第３の態様の第１４の実装方式、本発明の第３の態様の第１５の実装方式、本発明の第３の態様の第１６の実装方式、または本発明の第３の態様の第１７の実装方式に関連して、本発明の第３の態様の第１８の実装方式は、以下を含む。半静的設定は、動的にアクティブ化されるか、または非アクティブ化される。
【００７０】
本発明の第３の態様の第１５の実装方式、本発明の第３の態様の第１６の実装方式、本発明の第３の態様の第１７の実装方式、または本発明の第３の態様の第１８の実装方式に関連して、本発明の第３の態様の第１９の実装方式は、以下を含む。キャリアモードおよび／またはサブフレームモードは周期的モードまたは非周期的モードであり、キャリアモードおよび／またはサブフレームモードのキャリアおよび／またはサブフレームは、均一モードまたは非均一モードにある。
【００７１】
本発明の第３の態様の第１９の実装方式に関連して、本発明の第３の態様の第２０の実装方式は、以下を含む。サブフレームモードが周期的モードである場合、サブフレームモードのサブフレームは、異なるキャリア上で同じ期間または異なる期間を有する。
【００７２】
本発明の第３の態様の第１５の実装方式、本発明の第３の態様の第１６の実装方式、本発明の第３の態様の第１７の実装方式、本発明の第３の態様の第１８の実装方式、本発明の第３の態様の第１９の実装方式、または本発明の第３の態様の第２０の実装方式に関連して、本発明の第３の態様の第２１の実装方式は、以下を含む。キャリアモードおよび／またはサブフレームモードは、基地局間のインターフェースシグナリングにより決定され、キャリアモードおよび／またはサブフレームモードは、基地局間で移行される。
【００７３】
本発明の第４の態様は、基地局を提供し、当該基地局は、インジケーションシグナリングを設定するよう構成される設定モジュールと、ユーザ機器がインジケーションシグナリングに基づき、対応するターゲットキャリアのターゲットサブフレームにおいてアップリンク信号を伝送するよう、インジケーションシグナリングをユーザ機器へ送信するよう構成される送信モジュールとを備える。
【００７４】
本発明の第４の態様に関連して、本発明の第４の態様の第１の実装方式は、以下を含む。インジケーションシグナリングは、キャリア変換および／またはサブフレーム変換を示すシグナリングである。
【００７５】
本発明の第４の態様、または本発明の第４の態様の第１の実装方式に関連して、本発明の第４の態様の第２の実装方式は、以下を含む。インジケーションシグナリングは、キャリアインジケーション情報および／またはサブフレームインジケーション情報を含む。
【００７６】
本発明の第４の態様の第２の実装方式に関連して、本発明の第４の態様の第３の実装方式は、以下を含む。インジケーションシグナリングは、アップリンク信号伝送モードにより占有される帯域幅、伝送ポート、巡回シフト、タイミングアドバンス、および電力制御パラメータのうち少なくとも１つをさらに含む。
【００７７】
本発明の第４の態様の第２の実装方式に関連して、本発明の第４の態様の第４の実装方式は、以下を含む。キャリアインジケーション情報は、変換前キャリアインデックスおよび／または変換後キャリアインデックスを含み、サブフレームインジケーション情報は、変換前サブフレーム番号および／または変換後サブフレーム番号を含む。
【００７８】
本発明の第４の態様、本発明の第４の態様の第１の実装方式、本発明の第４の態様の第２の実装方式、本発明の第４の態様の第３の実装方式、または本発明の第４の態様の第４の実装方式に関連して、本発明の第４の態様の第５の実装方式は、以下を含む。送信モジュールは具体的に、セルフキャリアシグナリングまたはクロスキャリアシグナリングを用いることにより、インジケーションシグナリングを送信するよう構成される。
【００７９】
本発明の第４の態様、本発明の第４の態様の第１の実装方式、本発明の第４の態様の第２の実装方式、本発明の第４の態様の第３の実装方式、本発明の第４の態様の第４の実装方式、または本発明の第４の態様の第５の実装方式に関連して、本発明の第４の態様の第６の実装方式は、以下を含む。設定モジュールは具体的に、インジケーションシグナリングを動的に設定するか、または半静的に設定するよう構成される。
【００８０】
本発明の第４の態様の第６の実装方式に関連して、本発明の第４の態様の第７の実装方式は、以下を含む。設定モジュールは具体的に、ブロードキャストシグナリング、上位層無線リソース制御ＲＲＣシグナリング、および物理層シグナリングのうち少なくとも１つを用いることにより、インジケーションシグナリングを動的に設定するか、または半静的に設定するよう構成される。
【００８１】
本発明の第４の態様の第５の実装方式、または本発明の第４の態様の第６の実装方式に関連して、本発明の第４の態様の第８の実装方式は、以下を含む。インジケーションシグナリングが半静的に設定される場合、半静的設定は、キャリアモードおよび／またはサブフレームモードが半静的に設定されることを含む。
【００８２】
本発明の第４の態様の第８の実装方式に関連して、本発明の第４の態様の第９の実装方式は、以下を含む。キャリアモードおよび／またはサブフレームモードは、キャリア間および／またはサブフレーム間でジャンプする場合に予め設定されたシーケンス設計に従う。
【００８３】
本発明の第４の態様の第６の実装方式、本発明の第４の態様の第７の実装方式、本発明の第４の態様の第８の実装方式、または本発明の第４の態様の第９の実装方式に関連して、本発明の第４の態様の第１０の実装方式は、以下を含む。半静的設定は、設定可能な適用可能期間を有する。
【００８４】
本発明の第４の態様の第６の実装方式、本発明の第４の態様の第７の実装方式、本発明の第４の態様の第８の実装方式、本発明の第４の態様の第９の実装方式、または本発明の第４の態様の第１０の実装方式に関連して、本発明の第４の態様の第１１の実装方式は、以下を含む。半静的設定は、動的にアクティブ化されるか、または非アクティブ化される。
【００８５】
本発明の第４の態様の第８の実装方式、本発明の第４の態様の第９の実装方式、本発明の第４の態様の第１０の実装方式、または本発明の第４の態様の第１１の実装方式に関連して、本発明の第４の態様の第１２の実装方式は、以下を含む。キャリアモードおよび／またはサブフレームモードは、周期的モードまたは非周期的モードであり、キャリアモードおよび／またはサブフレームモードのキャリアおよび／またはサブフレームは、均一モードまたは非均一モードにある。
【００８６】
本発明の第４の態様の第１２の実装方式に関連して、本発明の第４の態様の第１３の実装方式は、以下を含む。サブフレームモードは周期的モードである場合、サブフレームモードのサブフレームは、異なるキャリア上で同じ期間または異なる期間を有する。
【００８７】
本発明の第５の態様は、複数のキャリアの間でアップリンク信号を伝送するためのシステムをさらに提供し、当該システムは、本発明の第３の態様に係るユーザ機器と、本発明の第４の態様に係る基地局とを備える。
【００８８】
本発明の実施形態において提供されている技術的解決手段によれば、アップリンク信号は、受信されたインジケーションシグナリングに基づき、ターゲットキャリアのターゲットサブフレームにおいて伝送される。明らかに、ターゲットキャリアがダウンリンク伝送を実行するとき、ダウンリンク伝送におけるより多くの数のキャリアに対して、インジケーションシグナリングは、キャリアのダウンリンクサブフレームまたはアップリンクサブフレームがアップリンク信号を伝送することを可能にするために用いられる。明らかに、本発明において、チャネルレシプロシティは効果的に利用される。
【図面の簡単な説明】
【００８９】
本発明の実施形態における技術的解決手段をより明白に説明するために、以下では、実施形態を説明するために必要とされる添付図面を簡潔に説明する。明らかに、以下の説明における添付図面は、本発明のいくつかの実施形態に過ぎず、当業者は、創造的努力なく、これらの添付図面から他の図面をさらに導出し得る。
【００９０】
【図１】本発明の実施形態に係るカスタマイズされたハイブリッドサブフレームおよびリバースサブフレームの模式図である。
【００９１】
【図２】本発明の実施形態に係る複数のキャリアの間でアップリンク信号を伝送するための方法の実施形態の模式図である。
【００９２】
【図３】本発明の実施形態に係る均一モードの模式図である。
【００９３】
【図４】本発明の実施形態に係る非均一モードの模式図である。
【００９４】
【図５】本発明の実施形態に係る複数のキャリアの間でアップリンク信号を伝送するための方法の別の実施形態の模式図である。
【００９５】
【図６】本発明の実施形態に係るユーザ機器ＵＥの実施形態の模式図である。
【００９６】
【図７】本発明の実施形態に係る基地局の実施形態の模式図である。
【００９７】
【図８】本発明の実施形態に係るシステムの実施形態の模式図である。
【００９８】
【図９】本発明の実施形態に係るサーバの実施形態の模式図である。
【発明を実施するための形態】
【００９９】
以下では、本発明の実施形態の添付図面を参照して、本発明の実施形態における技術的解決手段を明白に、かつ十分に説明する。明らかに、説明される実施形態は本発明の実施形態の一部に過ぎず、全てではない。当業者により創造的努力なく、本発明の実施形態に基づいて得られる他の全ての実施形態は、本発明の保護範囲内に含まれるものとする。
【０１００】
本発明の明細書、特許請求の範囲、および添付図面において、「第１」、「第２」、「第３」、「第４」、等など（存在する場合）という用語は、類似するものを区別することを意図しており、必ずしも具体的な順序またはシーケンスを示すわけではない。そのような方式で称されるデータは、適切な状況において置き換え可能であり、これにより、本明細書において説明されている本発明の実施形態は、本明細書において示されまたは説明されている順序以外の順序で実装され得ることが理解されるべきである。に加えて、「含む（ｉｎｃｌｕｄｅ）」、「包含（ｃｏｎｔａｉｎ）」という用語、および任意の他の派生語は、非排他的な含有を含むことを意味し、例えば、段階またはユニットの列挙を含むプロセス、方法、システム、製品、またはデバイスは必ずしも、明示的に列挙されているそれらの段階またはユニットに限定されるわけではなく、明示的に列挙されていない、またはそのようなプロセス、方法、システム、製品、またはデバイスに固有する他の段階またはユニットを含んでよい。
【０１０１】
本発明において、インジケーションシグナリングは、インジケーションのために用いられ、これにより、キャリア上のダウンリンクサブフレームは、１．ハイブリッドサブフレーム、および２．リバースサブフレームという２つの新たなサブフレームの定義を有する。ハイブリッドサブフレームは、以下を意味する。１．ＳＲＳ伝送、アップリンクチャネル検出、チャネル状態情報（英文全表記：Ｃｈａｎｎｅｌ  Ｓｔａｔｅ  Ｉｎｆｏｒｍａｔｉｏｎ、略してＣＳＩ）フィードバック、または、ハイブリッド自動再送要求（英文全表記：Ｈｙｂｒｉｄ  Ａｕｔｏｍａｔｉｃ  Ｒｅｐｅａｔ  Ｒｅｑｕｅｓｔ、略してＨＡＲＱ）フィードバックなどのアップリンク信号伝送のために、ダウンリンクサブフレームの最後のダウンリンクシンボルを、アップリンクシンボルに変換し、ここで、ハイブリッドサブフレームにおいて、ガード間隔ＧＰ１は、ダウンリンクからアップリンクへの変換のために用いられ、ガード間隔ＧＰ２は、アップリンクからダウンリンクへの変換のために用いられる。または、２．アップリンクシンボルの位置および長さは、フレキシブルであり、すなわち、最後のシンボルに限定されず、より長いガード間隔が、ダウンリンクからアップリンクへの変換のために用いられる。リバースサブフレームは、ダウンリンクサブフレーム全体がアップリンクサブフレームに変換されることを意味する。ハイブリッドサブフレームおよびリバースサブフレームの定義を容易に理解するために、図１を参照し、図１は、カスタマイズされたハイブリッドサブフレームおよびリバースサブフレームの模式図である。３つのハイブリッドサブフレームおよび１つのリバースサブフレームが説明のために例として用いられる。図１のガード間隔ＧＰ１は、ダウンリンクからアップリンクへの変換のために用いられ、長さは設定可能である。ＧＰ２は、アップリンクからダウンリンクへの変換のために用いられ、長さは設定可能であり、例えば、０であってよい。図１において示されているリバースサブフレームにおいて、（左側の）第１のアップリンク伝送は、物理アップリンク共有チャネル（英文全表記：Ｐｈｙｓｉｃａｌ  Ｕｐｌｉｎｋ  Ｓｈａｒｅｄ  Ｃｈａｎｎｅｌ、略してＰＵＳＣＨ）であってよく、（右側の）第２のアップリンク伝送は、ＳＲＳである。
【０１０２】
本発明の技術的解決手段を容易に理解するために、以下では、具体的な実施形態を用いることにより、本発明における、複数のキャリアの間でアップリンク信号を伝送するための方法を説明する。
【０１０３】
図２を参照し、本発明の実施形態に係る複数のキャリアの間でアップリンク信号を伝送するための方法の実施形態は、以下の段階を含む。
【０１０４】
１０１．基地局により送信されたインジケーションシグナリングを受信する。
【０１０５】
本実施形態において、インジケーションシグナリングは、キャリア変換および／またはサブフレーム変換を示すシグナリングであってよい。
【０１０６】
任意選択的に、インジケーションシグナリングは、キャリアインジケーション情報および／またはサブフレームインジケーション情報を含む。
【０１０７】
任意選択的に、インジケーションシグナリングは、アップリンク信号により占有される帯域幅、伝送モード、伝送ポート、巡回シフト、タイミングアドバンス、および電力制御パラメータのうち少なくとも１つをさらに含む。
【０１０８】
任意選択的に、キャリアインジケーション情報は、変換前キャリアインデックスおよび／または変換後キャリアインデックスを含み、サブフレームインジケーション情報は、変換前サブフレーム番号および／または変換後サブフレーム番号を含む。
【０１０９】
１０２．インジケーションシグナリングに基づき、対応するターゲットキャリアのターゲットサブフレームにおいて、アップリンク信号を伝送する。
【０１１０】
明らかに、ターゲットキャリアおよびターゲットキャリアのターゲットサブフレームは、インジケーションシグナリングに基づき、決定され、アップリンク信号は、ターゲットキャリアのターゲットサブフレームにおいて伝送される。
【０１１１】
キャリアインジケーション情報が変換前キャリアインデックスおよび／または変換後キャリアインデックスを含み、かつ、サブフレームインジケーション情報が変換前サブフレーム番号および／または変換後サブフレーム番号を含む場合、ターゲットキャリアは、変換後キャリアであり、ターゲットサブフレームは、変換後サブフレームであることに留意すべきである。
【０１１２】
アップリンク信号を伝送することに加えて、ターゲットキャリアのターゲットサブフレームはさらに、以下の情報を伝送し得ることが理解され得る。
【０１１３】
任意選択的に、ターゲットサブフレームはさらに、ダウンリンク制御情報およびダウンリンクデータ情報を伝送し、またはターゲットサブフレームはさらに、アップリンク制御情報およびアップリンクデータ情報を伝送する。
【０１１４】
具体的に、方法は、インジケーションシグナリングに基づき、対応するターゲットキャリアのターゲットサブフレームにおいて、ダウンリンク制御情報、ダウンリンクデータ情報、アップリンク制御情報、およびアップリンクデータ情報のうち少なくとも１つを伝送する段階をさらに備える。
【０１１５】
任意選択的に、アップリンク信号がアップリンク制御情報を含む場合、段階１０２は具体的に、インジケーションシグナリングに基づき、対応するターゲットキャリアのターゲットサブフレームにおいて、ダウンリンク制御情報および／またはダウンリンクデータ情報および／またはアップリンク制御情報を伝送する。
【０１１６】
任意選択的に、ダウンリンク制御情報、ダウンリンクデータ情報、ガード間隔、およびアップリンク信号が順次に存在し、または、ダウンリンク制御情報、ダウンリンクデータ情報、ガード間隔、およびアップリンク制御情報が順次に存在し、または、ダウンリンク制御情報、ダウンリンクデータ情報、ガード間隔、アップリンク制御情報、およびアップリンク信号が順次に存在する。
【０１１７】
任意選択的に、アップリンク制御情報、アップリンクデータ情報、ガード間隔、およびアップリンク信号が順次に存在し、または、アップリンク制御情報、アップリンクデータ情報、ガード間隔、アップリンク信号、およびアップリンクデータ情報が順次に存在する。
【０１１８】
要するに、ターゲットサブフレームにおいてアップリンク信号を伝送することは、１．アップリンク信号がアップリンク制御情報を含まず、アップリンク信号および他の情報がターゲットサブフレームにおいて伝送されること、２．アップリンク信号がアップリンク制御情報を含み、アップリンク制御情報および他の情報がターゲットサブフレームにおいて伝送されることであり得る。明らかに、１．アップリンク信号のみがターゲットサブフレームにおいて伝送され、２．アップリンク制御情報のみがターゲットサブフレームにおいて伝送されるという２つの特殊な状況が存在する。
【０１１９】
ターゲットサブフレームがアップリンク伝送のみのために用いられる場合、このときのターゲットサブフレームが前述のリバースサブフレームに相当し得ることを示すことに留意すべきである。ターゲットサブフレームがアップリンク伝送およびダウンリンク伝送の両方のために用いられる場合、このときのターゲットサブフレームが前述のハイブリッドサブフレームに相当することを示す。
【０１２０】
さらに、ターゲットサブフレームがさらにアップリンク制御情報を伝送する場合、本発明の本実施形態は、アップリンク信号および／またはアップリンク制御情報の時間領域位置または周波数領域位置および／または占有されるシンボル長を設定することをさらに含んでよい。
【０１２１】
ターゲットサブフレームは、ダウンリンク伝送およびアップリンク伝送を含み、ダウンリンク伝送とアップリンク伝送との間にガード間隔ＧＰが存在し、ガード間隔の長さは設定可能であることに留意すべきである。
【０１２２】
任意選択的に、アップリンク信号は、アップリンクチャネル検出のために用いられ、アップリンク制御情報は、アップリンクチャネル検出、チャネル状態情報ＣＳＩフィードバック、およびハイブリッド自動再送要求（英文全表記：Ｈｙｂｒｉｄ  Ａｕｔｏｍａｔｉｃ  Ｒｅｐｅａｔ  Ｒｅｑｕｅｓｔ、略してＨＡＲＱ）フィードバックのうち少なくとも１つのために用いられる。
【０１２３】
任意選択的に、アップリンク信号は、サウンディング参照信号ＳＲＳ、プリアンブル、および符号分割多元接続（英文全表記：Ｃｏｄｅ  Ｄｉｖｉｓｉｏｎ  Ｍｕｌｔｉｐｌｅ  Ａｃｃｅｓｓ、略してＣＤＭＡ）信号のうち少なくとも１つを含む。
【０１２４】
任意選択的に、ＳＲＳは、複数の予め設定されたＳＲＳシーケンスの組み合わせであり、ＳＲＳの伝送モードは、複数の予め設定されたＳＲＳモードの組み合わせであり、全帯域幅検出能力が検出閾値を超えることを保証する。
【０１２５】
任意選択的に、インジケーションシグナリングは、セルフキャリアシグナリングまたはクロスキャリアシグナリングを用いることにより、通知される。
【０１２６】
設定は、クロスキャリアシグナリングを用いることにより通知されてよく、すなわち、全てのキャリアの変換後サブフレームは、プライマリキャリアまたはセカンダリキャリア上で通知されることが理解され得る。すなわち、複数のキャリアが共通の変換後サブフレームモードを有する場合、１つの共通の変換後サブフレームモードのみがシグナリングを用いることにより通知される必要があり、関連キャリアセットが同時に搬送される。代替的に、複数のキャリアの間でジャンプが実行される場合に用いられる特定のモードを満たしてよく、または、特定のジャンプシーケンスに従ってよい。
【０１２７】
任意選択的に、インジケーションシグナリングは、動的に設定されるか、または半静的に設定される。
【０１２８】
任意選択的に、インジケーションシグナリングが動的に設定されるか、または半静的に設定されることは具体的に、ブロードキャストシグナリング、上位層無線リソース制御（英文全表記：Ｒａｄｉｏ  Ｒｅｓｏｕｒｃｅ  Ｃｏｎｔｒｏｌ、略してＲＲＣ）シグナリング、および物理層シグナリングのうち少なくとも１つを用いることにより、インジケーションシグナリングを動的に設定するか、または半静的に設定することである。
【０１２９】
任意選択的に、半静的設定は、キャリアモードおよび／またはサブフレームモードが半静的に設定されることを含む。
【０１３０】
任意選択的に、キャリアモードおよび／またはサブフレームモードは、キャリア間および／またはサブフレーム間でジャンプする場合に予め設定されたシーケンス設計に従う。
【０１３１】
任意選択的に、半静的設定は、設定可能な適用可能期間を有する。
【０１３２】
任意選択的に、半静的設定は、動的にアクティブ化されるか、または非アクティブ化される。
【０１３３】
任意選択的に、キャリアモードおよび／またはサブフレームモードは周期的モードまたは非周期的モードであり、キャリアモードおよび／またはサブフレームモードのキャリアおよび／またはサブフレームは、均一モードまたは非均一モードにある。
【０１３４】
均一モードの具体的な添付図面については、図３を参照されたく、非均一モードの具体的な添付図面については、図４を参照されたい。図３および図４のサブフレームは、切り替え後サブフレームを用いることにより表される。
【０１３５】
任意選択的に、サブフレームモードが周期的モードである場合、サブフレームモードのサブフレームは、異なるキャリア上で同じ期間または異なる期間を有する。
【０１３６】
任意選択的に、キャリアモードおよび／またはサブフレームモードは、基地局間のインターフェースシグナリングにより、決定され、キャリアモードおよび／またはサブフレームモードは、基地局間で移行される。
【０１３７】
基地局からの干渉に対処するべく、キャリアモードおよび／またはサブフレームモードは、基地局間で揃えられる必要があることに留意すべきである。基地局間のインターフェースは、Ｘ２インターフェースであってよい。
【０１３８】
本実施形態において、アップリンク信号は、取得されたインジケーションシグナリングに基づき、ターゲットキャリアのターゲットサブフレームにおいて伝送される。明らかに、ターゲットキャリアがダウンリンク伝送を実行する場合、ダウンリンク伝送におけるより多くの数のキャリアに対して、インジケーションシグナリングは、キャリアのダウンリンクサブフレームまたはアップリンクサブフレームがアップリンク信号を伝送することを可能にするために用いられる。明らかに、本発明において、チャネルレシプロシティは、効果的に利用される。
【０１３９】
以上では、ユーザ機器側から、本発明における複数のキャリアの間でアップリンク信号を伝送するための方法を説明している。以下では、基地局側から、本発明における複数のキャリアの間でアップリンク信号を伝送するための方法を説明する。
【０１４０】
図５を参照し、本発明の実施形態に係る複数のキャリアの間でアップリンク信号を伝送するための方法の別の実施形態は、以下の段階を含む。
【０１４１】
２０１．インジケーションシグナリングを設定する。
【０１４２】
本実施形態において、任意選択的に、インジケーションシグナリングは、キャリア変換および／またはサブフレーム変換を示すシグナリングである。
【０１４３】
任意選択的に、インジケーションシグナリングは、キャリアインジケーション情報および／またはサブフレームインジケーション情報を含む。
【０１４４】
任意選択的に、インジケーションシグナリングは、アップリンク信号により占有される帯域幅、伝送モード、伝送ポート、巡回シフト、タイミングアドバンス、および電力制御パラメータのうち少なくとも１つをさらに含む。
【０１４５】
任意選択的に、キャリアインジケーション情報は、変換前キャリアインデックスおよび／または変換後キャリアインデックスを含み、サブフレームインジケーション情報は、変換前サブフレーム番号および／または変換後サブフレーム番号を含む。
【０１４６】
任意選択的に、インジケーションシグナリングを設定することは、インジケーションシグナリングを動的に設定するか、または半静的に設定することを含む。
【０１４７】
具体的に、インジケーションシグナリングは、ブロードキャストシグナリング、上位層無線リソース制御ＲＲＣシグナリング、および物理層シグナリングのうち少なくとも１つを用いることにより、動的に設定されるか、または半静的に設定される。
【０１４８】
任意選択的に、インジケーションシグナリングが半静的に設定される場合、半静的設定は、キャリアモードおよび／またはサブフレームモードが半静的に設定されることを含む。
【０１４９】
任意選択的に、キャリアモードおよび／またはサブフレームモードは、キャリア間および／またはサブフレーム間でジャンプする場合に予め設定されたシーケンス設計に従う。
【０１５０】
任意選択的に、半静的設定は、設定可能な適用可能期間を有し、半静的設定は、動的にアクティブ化されるか、または非アクティブ化される。
【０１５１】
任意選択的に、キャリアモードおよび／またはサブフレームモードは周期的モードまたは非周期的モードであり、キャリアモードおよび／またはサブフレームモードのキャリアおよび／またはサブフレームは、均一モードまたは非均一モードにある。
【０１５２】
任意選択的に、サブフレームモードが周期的モードである場合、サブフレームモードのサブフレームは、異なるキャリア上で同じ期間または異なる期間を有する。
【０１５３】
２０２．インジケーションシグナリングをユーザ機器へ送信し、これにより、ユーザ機器は、インジケーションシグナリングに基づき、対応するターゲットキャリアのターゲットサブフレームにおいてアップリンク信号を伝送する。
【０１５４】
本実施形態において、任意選択的に、インジケーションシグナリングをユーザ機器へ送信する段階は、セルフキャリアシグナリングまたはクロスキャリアシグナリングを用いることにより、インジケーションシグナリングを送信する段階を含む。
【０１５５】
本実施形態において、アップリンク信号は、取得されたインジケーションシグナリングに基づき、ターゲットキャリアのターゲットサブフレームにおいて伝送される。明らかに、ターゲットキャリアがダウンリンク伝送を実行する場合、ダウンリンク伝送におけるより多くの数のキャリアに対して、インジケーションシグナリングは、キャリアのダウンリンクサブフレームまたはアップリンクサブフレームがアップリンク信号を伝送することを可能にするために用いられる。明らかに、本発明において、チャネルレシプロシティは効果的に利用される。
【０１５６】
図６を参照し、本発明の実施形態に係るユーザ機器ＵＥの実施形態は、基地局により送信されたインジケーションシグナリングを受信するよう構成される受信モジュール３０１と、インジケーションシグナリングに基づき、対応するターゲットキャリアのターゲットサブフレームにおいてアップリンク信号を伝送するよう構成される伝送モジュール３０２とを備える。
【０１５７】
任意選択的に、インジケーション情報は、キャリア変換および／またはサブフレーム変換を示すシグナリングである。
【０１５８】
任意選択的に、インジケーションシグナリングは、アップリンク信号により占有される帯域幅、伝送モード、伝送ポート、巡回シフト、タイミングアドバンス、および電力制御パラメータのうち少なくとも１つをさらに含む。インジケーションシグナリングは、特定の巡回冗長符号ＣＲＣを用いることによりスクランブルされる。
【０１５９】
任意選択的に、キャリアインジケーション情報は、変換前キャリアインデックスおよび／または変換後キャリアインデックスを含み、サブフレームインジケーション情報は、変換前サブフレーム番号および／または変換後サブフレーム番号を含む。
【０１６０】
明らかに、ターゲットキャリアのターゲットキャリアおよびターゲットサブフレームは、インジケーションシグナリングに基づき決定され、アップリンク信号は、ターゲットキャリアのターゲットサブフレームにおいて伝送される。
【０１６１】
キャリアインジケーション情報が変換前キャリアインデックスおよび／または変換後キャリアインデックスを含み、かつ、サブフレームインジケーション情報が変換前サブフレーム番号および／または変換後サブフレーム番号を含む場合、ターゲットキャリアは変換後キャリアであり、ターゲットサブフレームは変換後サブフレームであることに留意すべきである。
【０１６２】
アップリンク信号を伝送することに加えて、ターゲットキャリアのターゲットサブフレームはさらに、以下の情報を伝送し得ることが理解され得る。
【０１６３】
任意選択的に、ターゲットサブフレームはさらに、ダウンリンク制御情報およびダウンリンクデータ情報を伝送し、または、ターゲットサブフレームはさらに、アップリンク制御情報およびアップリンクデータ情報を伝送する。
【０１６４】
具体的に、伝送モジュール３０２は、インジケーションシグナリングに基づき、対応するターゲットキャリアのターゲットサブフレームにおいて、ダウンリンク制御情報、ダウンリンクデータ情報、アップリンク制御情報、およびアップリンクデータ情報のうち少なくとも１つを伝送するようさらに構成される。
【０１６５】
任意選択的に、アップリンク信号がアップリンク制御情報を含む場合、伝送モジュール３０２は具体的に、インジケーションシグナリングに基づき、対応するターゲットキャリアのターゲットサブフレームにおいてダウンリンク制御情報および／またはダウンリンクデータ情報および／またはアップリンク制御情報を伝送するよう構成される。
【０１６６】
要するに、ターゲットサブフレームにおいてアップリンク信号を伝送することは、１．アップリンク信号はアップリンク制御情報を含まず、アップリンク信号および他の情報は、ターゲットサブフレームにおいて伝送されること、および２．アップリンク信号は、アップリンク制御情報を含み、アップリンク制御情報および他の情報は、ターゲットサブフレームにおいて伝送されることであり得る。明らかに、１．アップリンク信号のみがターゲットサブフレームにおいて伝送され、２．アップリンク制御情報のみがターゲットサブフレームにおいて伝送されるという２つの特殊な状況が存在する。
【０１６７】
ターゲットサブフレームがアップリンク伝送のみのために用いられる場合、このときのターゲットサブフレームが前述のリバースサブフレームに相当し得ることを示すことに留意すべきである。
【０１６８】
ターゲットサブフレームがアップリンク伝送およびダウンリンク伝送の両方のために用いられる場合、このときのターゲットサブフレームが前述のハイブリッドサブフレームに相当することを示す。
【０１６９】
さらに、ターゲットサブフレームがさらにアップリンク制御情報を伝送する場合、本実施形態は、アップリンク信号および／またはアップリンク制御情報の時間領域位置または周波数領域位置および／または占有されるシンボル長を設定するよう構成される設定モジュールをさらに備え得る。
【０１７０】
ターゲットサブフレームは、ダウンリンク伝送およびアップリンク伝送を含み、ダウンリンク伝送とアップリンク伝送との間にガード間隔ＧＰが存在し、ガード間隔の長さが設定可能であることに留意すべきである。
【０１７１】
任意選択的に、アップリンク信号は、アップリンクチャネル検出のために用いられ、アップリンク制御情報は、アップリンクチャネル検出、チャネル状態情報ＣＳＩフィードバック、およびハイブリッド自動再送要求ＨＡＲＱフィードバックのうち少なくとも１つのために用いられる。
【０１７２】
任意選択的に、アップリンク信号は、サウンディング参照信号ＳＲＳ、プリアンブル、および符号分割多元接続ＣＤＭＡ信号のうち少なくとも１つを含む。
【０１７３】
任意選択的に、ＳＲＳは、複数の予め設定されたＳＲＳシーケンスの組み合わせであり、ＳＲＳの伝送モードは、複数の予め設定されたＳＲＳモードの組み合わせであり、全帯域幅検出能力が検出閾値を超えることを保証する。
【０１７４】
任意選択的に、インジケーションシグナリングは、セルフキャリアシグナリングまたはクロスキャリアシグナリングを用いることにより、通知される。
【０１７５】
設定は、クロスキャリアシグナリングを用いることにより、通知されてよく、すなわち、全てのキャリアの変換後サブフレームは、プライマリキャリアまたはセカンダリキャリア上で通知されることが理解され得る。すなわち、複数のキャリアが共通する変換後サブフレームモードを有する場合、１つの共通する変換後サブフレームモードのみが、シグナリングを用いることにより、通知される必要があり、関連キャリアセットが同時に搬送される。代替的に、ジャンプが複数のキャリアの間で実行する場合に用いられる特定のモードを満たしてよく、または特定のジャンプシーケンスに従ってよい。
【０１７６】
任意選択的に、インジケーションシグナリングは、動的に設定されるか、または半静的に設定される。
【０１７７】
任意選択的に、インジケーションシグナリングが動的に設定されるか、または半静的に設定されることは具体的に、ブロードキャストシグナリング、上位層無線リソース制御ＲＲＣシグナリング、および物理層シグナリングのうち少なくとも１つを用いることによりインジケーションシグナリングを動的に設定するか、または半静的に設定することである。
【０１７８】
任意選択的に、半静的設定は、キャリアモードおよび／またはサブフレームモードが半静的に設定されることを含む。
【０１７９】
任意選択的に、キャリアモードおよび／またはサブフレームモードは、キャリア間および／またはサブフレーム間でジャンプする場合に予め設定されたシーケンス設計に従う。
【０１８０】
任意選択的に、半静的設定は、設定可能な適用可能期間を有する。
【０１８１】
任意選択的に、半静的設定は、動的にアクティブ化されるか、または非アクティブ化される。
【０１８２】
任意選択的に、キャリアモードおよび／またはサブフレームモードは周期的モードまたは非周期的モードであり、キャリアモードおよび／またはサブフレームモードのキャリアおよび／またはサブフレームは、均一モードまたは非均一モードにある。
【０１８３】
任意選択的に、サブフレームモードが周期的モードである場合、サブフレームモードのサブフレームは、異なるキャリア上で同じ期間または異なる期間を有する。
【０１８４】
任意選択的に、キャリアモードおよび／またはサブフレームモードは、基地局間のインターフェースシグナリングにより決定され、キャリアモードおよび／またはサブフレームモードは、基地局間で移行される。
【０１８５】
基地局からの干渉に対処するべく、キャリアモードおよび／またはサブフレームモードは、基地局間で揃えられる必要があることに留意すべきである。基地局間のインターフェースはＸ２インターフェースであってよい。
【０１８６】
本実施形態において、アップリンク信号は受信されたインジケーションシグナリングに基づき、ターゲットキャリアのターゲットサブフレームにおいて伝送される。明らかに、ターゲットキャリアがダウンリンク伝送を実行する場合、ダウンリンク伝送におけるより多くの数のキャリアに対して、インジケーションシグナリングは、キャリアのダウンリンクサブフレームまたはアップリンクサブフレームがアップリンク信号を伝送することを可能にするために用いられる。明らかに、本発明において、チャネルレシプロシティは効果的に利用される。
【０１８７】
図７を参照し、本発明の実施形態に係る基地局の実施形態は、インジケーションシグナリングを設定するよう構成される設定モジュール４０１と、ユーザ機器がインジケーションシグナリングに基づき、対応するターゲットキャリアのターゲットサブフレームにおいてアップリンク信号を伝送するよう、インジケーションシグナリングをユーザ機器へ送信するよう構成される送信モジュール４０２とを備える。
【０１８８】
任意選択的に、インジケーションシグナリングは、キャリア変換および／またはサブフレーム変換を示すシグナリングである。
【０１８９】
任意選択的に、インジケーションシグナリングは、キャリアインジケーション情報および／またはサブフレームインジケーション情報を含む。
【０１９０】
任意選択的に、インジケーションシグナリングは、アップリンク信号により占有される帯域幅、伝送モード、伝送ポート、巡回シフト、タイミングアドバンス、および電力制御パラメータのうち少なくとも１つをさらに含む。
【０１９１】
任意選択的に、キャリアインジケーション情報は、変換前キャリアインデックスおよび／または変換後キャリアインデックスを含み、サブフレームインジケーション情報は、変換前サブフレーム番号および／または変換後サブフレーム番号を含む。
【０１９２】
任意選択的に、送信モジュール４０２は具体的に、セルフキャリアシグナリングまたはクロスキャリアシグナリングを用いることによりインジケーションシグナリングを送信するよう構成される。
【０１９３】
任意選択的に、設定モジュール４０１は具体的に、インジケーションシグナリングを動的に設定するか、または半静的に設定するよう構成される。
【０１９４】
任意選択的に、設定モジュール４０１は具体的に、ブロードキャストシグナリング、上位層無線リソース制御ＲＲＣシグナリング、および物理層シグナリングのうち少なくとも１つを用いることにより、インジケーションシグナリングを動的に設定するか、または半静的に設定するよう構成される。
【０１９５】
任意選択的に、インジケーションシグナリングが半静的に設定される場合、半静的設定は、キャリアモードおよび／またはサブフレームモードが半静的に設定されることを含む。
【０１９６】
任意選択的に、キャリアモードおよび／またはサブフレームモードは、キャリア間および／またはサブフレーム間でジャンプする場合に予め設定されたシーケンス設計に従う。
【０１９７】
任意選択的に、半静的設定は、設定可能な適用可能期間を有し、半静的設定は、動的にアクティブ化されるか、または非アクティブ化される。
【０１９８】
任意選択的に、キャリアモードおよび／またはサブフレームモードは周期的モードまたは非周期的モードであり、キャリアモードおよび／またはサブフレームモードのキャリアおよび／またはサブフレームは、均一モードまたは非均一モードにある。
【０１９９】
任意選択的に、サブフレームモードが周期的モードである場合、サブフレームモードのサブフレームは、異なるキャリア上で同じ期間または異なる期間を有する。
【０２００】
本実施形態において、アップリンク信号は、受信されたインジケーションシグナリングに基づき、ターゲットキャリアのターゲットサブフレームにおいて伝送される。明らかに、ターゲットキャリアがダウンリンク伝送を実行する場合、ダウンリンク伝送におけるより多くの数のキャリアに対して、インジケーションシグナリングは、キャリアのダウンリンクサブフレームまたはアップリンクサブフレームがアップリンク信号を伝送することを可能にするために用いられる。明らかに、本発明において、チャネルレシプロシティは効果的に利用される。
【０２０１】
本発明の実施形態は、複数のキャリアの間でアップリンク信号を伝送するためのシステムをさらに提供する。図８を参照し、本発明の本実施形態に係るシステムの実施形態は、基地局５０１およびユーザ機器５０２を備える。
【０２０２】
基地局５０１は、インジケーションシグナリングを設定し、インジケーションシグナリングをユーザ機器へ送信するよう構成される。
【０２０３】
ユーザ機器５０２は、基地局により送信されたインジケーションシグナリングを受信し、インジケーションシグナリングに基づき、対応するターゲットキャリアのターゲットサブフレームにおいてアップリンク信号を伝送するよう構成される。
【０２０４】
本実施形態において、アップリンク信号は、受信されたインジケーションシグナリングに基づき、ターゲットキャリアのターゲットサブフレームにおいて伝送される。明らかに、ターゲットキャリアがダウンリンク伝送を実行する場合、ダウンリンク伝送におけるより多くの数のキャリアに対して、インジケーションシグナリングは、キャリアのダウンリンクサブフレームまたはアップリンクサブフレームがアップリンク信号を伝送することを可能にするために用いられる。明らかに、本発明において、チャネルレシプロシティは、効果的に利用される。
【０２０５】
本発明の実施形態は、サーバをさらに提供する。図９を参照し、本発明の本実施形態に係るサーバの実施形態は、以下の内容を含む。
【０２０６】
図９は、本発明の本実施形態に係るサーバの模式的構造図である。サーバ６００は、異なる設定または性能によって大幅に異なってよく、１つまたは複数の中央処理装置（ｃｅｎｔｒａｌ  ｐｒｏｃｅｓｓｉｎｇ  ｕｎｉｔ、ＣＰＵ）６０１（例えば、１つまたは複数のプロセッサ）と、アプリケーションプログラム６０２またはデータ６０３を記憶する１つまたは複数の記憶媒体６０４（例えば、１つまたは複数の大容量記憶デバイス）とを備えてよい。記憶媒体６０４は、一時記憶装置または持続性記憶装置であってよい。記憶媒体６０４において記憶されるプログラムは、１つまたは複数のモジュール（不図示）を含んでよく、各モジュールは、スイッチに対して実行される一連の命令操作を含んでよい。さらに、中央処理装置６０１は、記憶媒体６０４と通信して、サーバ６００に対して記憶媒体６０４における一連の命令操作を実行するよう構成されてよい。
【０２０７】
サーバ６００は、１つまたは複数の電源６０５、１つまたは複数の有線または無線ネットワークインターフェース６０６、１つまたは複数の入力／出力インターフェース６０７、および／または、Ｗｉｎｄｏｗｓ（登録商標）  Ｓｅｒｖｅｒ（登録商標）、Ｍａｃ  ＯＳ  Ｘ（登録商標）、Ｕｎｉｘ（登録商標）、Ｌｉｎｕｘ（登録商標）、またはＦｒｅｅＢＳＤ（商標）などの１つまたは複数のオペレーティングシステム６０８をさらに備えてよい。
【０２０８】
前述の実施形態において、ＵＥ、基地局、およびシステムにより実行される段階は、図９において示されているサーバ構造に基づいてよい。
【０２０９】
説明の簡便さおよび簡潔さのために、前述のシステム、装置、およびユニットの詳細な作動プロセスについて、前述の方法の実施形態における対応プロセスを参照してよいことは、当業者には明白に理解され得て、詳細はここでは、説明されない。
【０２１０】
本出願において提供されているいくつかの実施形態において、開示されているシステム、装置、および方法は、他の方式で実装され得ることが理解されるべきである。例えば、説明されている装置の実施形態は例に過ぎない。例えば、ユニット区分は単に、論理的な機能区分であり、実際の実装方式において他の区分であってよい。例えば、複数のユニットまたは構成要素は、組み合わせられてよく、または別のシステムに統合されてよく、もしくは、いくつかの特徴は、無視されてよく、または実行されなくてよい。加えて、表示されているか、または説明されている相互結合または直接結合または通信接続は、いくつかのインターフェースを用いることにより実装されてよい。装置またはユニット間の間接結合または通信接続は、電子的、機械的、または他の形態で実装されてよい。
【０２１１】
別個の部分として説明されているユニットは、物理的に別個であってもよくまたはそうでなくてもよく、ユニットとして表示されている部分は、物理ユニットであってもよく、またはそうでなくてもよく、一箇所に位置してもよく、または複数のネットワークユニット上で分散されてもよい。ユニットの一部または全ては、実施形態の解決手段の目的を実現するために実際な需要に応じて選択されてよい。
【０２１２】
加えて、本発明の実施形態における機能ユニットは、１つの処理ユニットに統合されてよく、または、ユニットのそれぞれが物理的に単独で存在してよく、または２つまたはそれより多くのユニットが１つのユニットに統合される。統合されたユニットは、ハードウェアの形態で実装されてよく、またはソフトウェア機能ユニットの形態で実装されてよい。
【０２１３】
統合されたユニットがソフトウェア機能ユニットの形態で実装され、独立した製品として販売され、または使用される場合、当該統合されたユニットは、コンピュータ可読記憶媒体において記憶されてよい。そのような理解に基づき、本発明の技術的解決手段は本質的に、または従来技術に寄与する部分、または技術的解決手段の全てまたは一部は、ソフトウェア製品の形態で実装されてよい。ソフトウェア製品は、記憶媒体において記憶され、（パーソナルコンピュータ、サーバ、またはネットワークデバイスであり得る）コンピュータデバイスに、本発明の実施形態において説明されている方法の段階の全てまたは一部を実行するよう命令するためのいくつかの命令を含む。前述の記憶媒体は、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどのプログラムコードを記憶できる任意の媒体を含む。
【０２１４】
前述の実施形態は単に、本発明の技術的解決手段を説明することを意図しており、本発明を限定することを意図していない。本発明が前述の実施形態に関連して詳細に説明されているが、当業者は、彼らが本発明の実施形態の技術的解決手段の趣旨および範囲から逸脱することなく、前述の実施形態において説明されている技術的解決手段に対してさらに変更を成し得て、または、それらのいくつかの技術的特徴に対して均等な置き換えを成し得ることを理解すべきである。
【図１】
2019510433.tif 000003
【図２】
2019510433.tif 000004
【図３】
2019510433.tif 000005
【図４】
2019510433.tif 000006
【図５】
2019510433.tif 000007
【図６】
2019510433.tif 000008
【図７】
2019510433.tif 000009
【図８】
2019510433.tif 000010
【図９】
2019510433.tif 000011
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
基地局により送信されたインジケーションシグナリングを受信する段階と、
前記インジケーションシグナリングに基づき、対応するターゲットキャリアにおいてアップリンク信号を伝送する段階と
を備え、
前記インジケーションシグナリングは、キャリアインジケーション情報を含み、
前記キャリアインジケーション情報は、切り替え前キャリアインデックスまたは切り替え後キャリアインデックスのうち少なくとも１つを含み、
前記ターゲットキャリアは、切り替え後キャリアであり、
前記アップリンク信号は、サウンディング参照信号ＳＲＳを含む、
複数のキャリアの間でアップリンク信号を伝送するための方法。
【請求項２】
前記インジケーションシグナリングは、キャリア切り替えおよび／またはサブフレーム切り替えを示すシグナリングである、請求項１に記載の方法。
【請求項３】
前記インジケーションシグナリングは、キャリアインジケーション情報および／またはサブフレームインジケーション情報を含み、
前記インジケーションシグナリングは、前記アップリンク信号により占有される帯域幅、伝送モード、伝送ポート、巡回シフト、タイミングアドバンス、および電力制御パラメータのうち少なくとも１つをさらに含む、請求項１または２に記載の方法。
【請求項４】
前記アップリンク信号は、サウンディング参照信号ＳＲＳ、プリアンブル、および符号分割多元接続ＣＤＭＡ信号のうち少なくとも１つを含み、
前記ＳＲＳは複数の予め設定されたＳＲＳシーケンスの組み合わせであり、および／または前記ＳＲＳの伝送モードは、複数の予め設定されたＳＲＳモードの組み合わせである、請求項１から３の何れか一項に記載の方法。
【請求項５】
前記方法は、
前記アップリンク信号の時間領域位置および占有されるシンボル長を設定する段階をさらに備える、請求項１から４の何れか一項に記載の方法。
【請求項６】
前記インジケーションシグナリングは、動的に設定されるか、または半静的に設定され、
前記インジケーションシグナリングが動的に設定されるか、または半静的に設定されることは具体的に、ブロードキャストシグナリング、上位層無線リソース制御ＲＲＣシグナリング、および物理層シグナリングのうち少なくとも１つを用いることにより、前記インジケーションシグナリングに対して動的設定を行うか、または半静的設定を行うことである、請求項１から５の何れか一項に記載の方法。
【請求項７】
前記半静的設定を行うことは、キャリアモードが半静的に設定されることを含む、請求項６に記載の方法。
【請求項８】
前記キャリアモードは、予め設定されたシーケンス設計に従う、請求項７に記載の方法。
【請求項９】
前記半静的設定を行うことは、動的にアクティブ化されることである、請求項６から８の何れか一項に記載の方法。
【請求項１０】
基地局により送信されたインジケーションシグナリングを受信するよう構成される受信モジュールと、
前記インジケーションシグナリングに基づき、対応するターゲットキャリアにおいてアップリンク信号を伝送するよう構成される伝送モジュールと
を備え、
前記インジケーションシグナリングは、キャリアインジケーション情報を含み、
前記キャリアインジケーション情報は、切り替え前キャリアインデックスおよび／または切り替え後キャリアインデックスを含み、
前記ターゲットキャリアは、切り替え後キャリアであり、
前記アップリンク信号は、サウンディング参照信号ＳＲＳを含む、
ユーザ機器ＵＥ。
【請求項１１】
前記インジケーションシグナリングは、キャリア切り替えおよび／またはサブフレーム切り替えを示すシグナリングである、請求項１０に記載のＵＥ。
【請求項１２】
前記インジケーションシグナリングは、キャリアインジケーション情報および／またはサブフレームインジケーション情報を含み、
前記インジケーションシグナリングは、前記アップリンク信号により占有される帯域幅、伝送モード、伝送ポート、巡回シフト、タイミングアドバンス、および電力制御パラメータのうち少なくとも１つをさらに含む、請求項１０または１１に記載のＵＥ。
【請求項１３】
前記ＳＲＳは、複数の予め設定されたＳＲＳシーケンスの組み合わせであり、および／または前記ＳＲＳの伝送モードは、複数の予め設定されたＳＲＳモードの組み合わせである、請求項１０に記載のＵＥ。
【請求項１４】
前記ＵＥは、
前記アップリンク信号の時間領域位置および占有されるシンボル長を設定するよう構成される設定モジュールをさらに備える、請求項１０から１３の何れか一項に記載のＵＥ。
【請求項１５】
前記インジケーションシグナリングは動的に設定されるか、または半静的に設定され、
前記インジケーションシグナリングが動的に設定されるか、または半静的に設定されることは具体的に、ブロードキャストシグナリング、上位層無線リソース制御ＲＲＣシグナリング、および物理層シグナリングのうち少なくとも１つを用いることにより、前記インジケーションシグナリングに対して動的設定を行うか、または半静的設定を行うことである、請求項１０から１４の何れか一項に記載のＵＥ。
【請求項１６】
前記半静的設定を行うことは、キャリアモードが半静的に設定されることを含む、請求項１５に記載のＵＥ。
【請求項１７】
前記キャリアモードは、予め設定されたシーケンス設計に従う、請求項１６に記載のＵＥ。
【請求項１８】
前記半静的設定を行うことは、動的にアクティブ化されることである、請求項１５から１７の何れか一項に記載のＵＥ。
【請求項１９】
インジケーションシグナリングを設定するよう構成される設定モジュールと、
ユーザ機器が前記インジケーションシグナリングに基づき、対応するターゲットキャリアにおいてアップリンク信号を伝送するよう、前記インジケーションシグナリングを前記ユーザ機器へ送信するよう構成される送信モジュールと
を備え、
前記インジケーションシグナリングは、キャリアインジケーション情報を含み、
前記キャリアインジケーション情報は、切り替え前キャリアインデックスおよび／または切り替え後キャリアインデックスを含み、
前記ターゲットキャリアは、切り替え後キャリアであり、
前記アップリンク信号は、サウンディング参照信号ＳＲＳを含む、
基地局。
【請求項２０】
前記インジケーションシグナリングは、キャリア切り替えを示すシグナリングである、請求項１９に記載の基地局。
【国際調査報告】
2019510433.tif 000012
2019510433.tif 000013
2019510433.tif 000014
2019510433.tif 000015